(57)【特許請求の範囲】
【請求項１】
受信側装置の受信信号SIR（信号対干渉電力比）をターゲットSIRと比較し、その差及び大小関係に応じて送信側装置の送信電力を制御するセルラーシステム送信電力制御方法において、
受信側装置で受信信号のフレーム誤りを検知し、
１つの測定フレーム数Nが規定されており、フレーム誤り数を出力する周期的な一定フレーム数M毎に、又はフレーム誤り発生毎に、現フレームから直前N個のフレームについてフレーム誤り数nを求め、
前記フレーム誤り数nを、所定のしきい値t1及びしきい値t2(t1＞t2)と比較し、
n≧t1の場合にターゲットSIRを所定の値S1だけ増加させ、
n≦t2の場合にターゲットSIRを所定の値S2だけ減少させることを特徴とするセルラーシステム送信電力制御方法。
【請求項２】
ターゲットSIRがターゲットFER（フレーム誤り率の目標値）を満たす所要SIRに対してΔSIRだけ差を有するとき、
フレーム誤り数nが前記しきい値t1に対しn≧t1となる確率をP1とし、
フレーム誤り数nが前記しきい値t2に対しn≦t2となる確率をP2とすると、
S1×P1 − S2×P2 ＝−ΔSIR
となるように前記ターゲットSIR増減値S1及びS2を設定することを特徴とする請求項１に記載のセルラーシステム送信電力制御方法。
【請求項３】
ターゲットSIRがターゲットFER（フレーム誤り率の目標値）を満たす所要SIRに対してΔSIRだけ差を有するとき、
フレーム誤り数nが前記しきい値t1に対しn≧t1となる確率をP1とし、
フレーム誤り数nが前記しきい値t2に対しn≦t2となる確率をP2とすると、
10＾(S1/10)×P1 + 10^(-S2/10)×P2  + (1-P1-P2) ＝ 10^(−ΔSIR/10)
となるように前記ターゲットSIR増減値S1及びS2を設定することを特徴とする請求項１に記載のセルラーシステム送信電力制御方法。
【請求項４】
フレーム誤り率がターゲットFER（フレーム誤り率の目標値）に等しいときにフレーム誤り数nが前記しきい値t1に対しn≧t1となる確率をP1とし、
同じくフレーム誤り率がターゲットFERに等しいときにフレーム誤り数nが前記しきい値t2に対しn≦t2となる確率をP2とすると、
S1×P1 = S2×P2
となるように前記ターゲットSIR増減値S1及びS2を設定することを特徴とする請求項１に記載のセルラーシステム送信電力制御方法。
【請求項５】
フレーム誤り率がターゲットFER（フレーム誤り率の目標値）に等しいときにフレーム誤り数nが前記しきい値t1に対しn≧t1となる確率をP1とし、
同じくフレーム誤り率がターゲットFERに等しいときにフレーム誤り数nが前記しきい値t2に対しn≦t2となる確率をP2とすると、
10＾(S1/10)×P1 + 10^(-S2/10)×P2  ＝ P1 ＋ P2
となるように前記ターゲットSIR増減値S1及びS2を設定することを特徴とする請求項１に記載のセルラーシステム送信電力制御方法。
【請求項６】
受信側装置の受信信号SIR（信号対干渉電力比）をターゲットSIRと比較し、その差及び大小関係に応じて送信側装置の送信電力を制御するセルラーシステム送信電力制御方法において、
受信側装置で受信信号のフレーム誤りを検知し、
１つの測定フレーム数Nが規定されており、フレーム誤り数を出力する周期的な一定フレーム数M毎に、又はフレーム誤り発生毎に、現フレームから直前N個のフレームについてフレーム誤り数nを求め、
前記フレーム誤り数nに対応するターゲットSIR増減値の対応表を予め具備しており、
フレーム誤り数nが更新された時点で、更新されたnの値に対応するターゲットSIR増減値を前記対応表から求め、
前記ターゲットSIR増減値だけターゲットSIRを増減することを特徴とするセルラーシステム送信電力制御方法。
【請求項７】
ターゲットSIRがターゲットFER（フレーム誤り率の目標値）を満たす所要SIRに対してΔSIRだけ差を有するとき、
フレーム誤り数nがi(0≦i≦N)に等しくなる確率をP(i)とし、
フレーム誤り数nがiであるときのターゲットSIR増減値を、増加の場合の符号を正、減少の場合の符号を負としてS(i)と表すと、
【数１】
0003817955.tif 000024
となるように前記ターゲットSIR増減値S(i)を設定する
ことを特徴とする請求項６に記載のセルラーシステム送信電力制御方法。
【請求項８】
ターゲットSIRがターゲットFER(フレーム誤り率の目標値)を満たす所要SIRに対してΔSIRだけ差を有するとき、
フレーム誤り数nがi(0≦i≦N)に等しくなる確率をP(i)とし、
フレーム誤り数nがiであるときのターゲットSIR増減値を、増加の場合の符号を正、減少の場合の符号を負としてS(i)と表すと、
【数２】
0003817955.tif 000025
となるように前記ターゲットSIR増減値S(i)を設定する
ことを特徴とする請求項６に記載のセルラーシステム送信電力制御方法。
【請求項９】
フレーム誤り率がターゲットFERに等しいときにフレーム誤り数nがi(0≦i≦N)に等しくなる確率をP(i)とし、
フレーム誤り数nがiであるときのターゲットSIR増減値を、増加の場合の符号を正、減少の場合の符号を負としてS(i)と表すと、
【数３】
0003817955.tif 000026
となるように前記ターゲットSIR増減値S(i)を設定する
ことを特徴とする請求項６に記載のセルラーシステム送信電力制御方法。
【請求項１０】
フレーム誤り率がターゲットFERに等しいときにフレーム誤り数nがi(0≦i≦N)に等しくなる確率をP(i)とし、
フレーム誤り数nがiであるときのターゲットSIR増減値を、増加の場合の符号を正、減少の場合の符号を負としてS(i)と表すと、
【数４】
0003817955.tif 000027
となるように前記ターゲットSIR増減値S(i)を設定する
ことを特徴とする請求項６に記載のセルラーシステム送信電力制御方法。
【請求項１１】
ターゲットSIRを変更した直後のN個のフレームの間はターゲットSIRを変更しないことを特徴とする請求項１から１０のいずれか１項に記載のセルラーシステム送信電力制御方法。
【請求項１２】
受信側装置の受信信号SIR（信号対干渉電力比）をターゲットSIRと比較し、その差及び大小関係に応じて送信側装置の送信電力を制御するセルラーシステム送信電力制御方法において、
受信側装置で受信信号のフレーム誤りを検知し、
検知されたフレーム誤りをカウントするK通りのフレーム誤りカウント機能（K≧2,1≦k≦K）を有し、該フレーム誤りカウント機能毎（k）に測定フレーム数N(k)が規定されており、前記フレーム誤りカウント機能毎（k）に規定されたフレーム誤り数を出力する周期的な一定フレーム数M(k)毎に、又はフレーム誤り発生毎に、現フレームから直前N(k)個のフレームについてフレーム誤り数n(k)を求め、
前記K通りのフレーム誤りカウント機能について求めたフレーム誤り数n(1)〜n(K)の複数の組み合わせに応じてターゲットSIRを増減することを特徴とするセルラーシステム送信電力制御方法。
【請求項１３】
前記フレーム誤り数n(1)〜n(k)のそれぞれ又は組合せに対応するターゲットSIR増減値の対応表を予め具備しており、
フレーム誤り数n(1)〜n(K)のいずれかが更新された時点で、更新されたn(k)又は最新のn(1)〜n(K)の値の組合せに対応するターゲットSIR増減値を前記対応表から求め、
前記ターゲットSIR増減値だけターゲットSIRを増減することを特徴とする請求項１２に記載のセルラーシステム送信電力制御方法。
【請求項１４】
ターゲットSIRがターゲットFER（フレーム誤り率の目標値を満たす所要SIRに対してΔSIRだけ差を有するとき、
更新されたn(k)に対応する場合は、kについてフレーム誤り数n(k)がi(k)(0≦i(k)≦N(k))に等しくなる確率をP(k,i(k))とし、kについてフレーム誤り数n(k)がi(k)であるときのターゲットSIR増減値を、増加の場合の符号を正、減少の場合の符号を負としてS(k,i(k))と表すと、該P(k,i(k))に対して、
【数５】
0003817955.tif 000028
となるように前記ターゲットSIR増減値S(k,i(k))を設定し、
最新のn(1)〜n(K)の値の組合せに対応する場合は、K通り全てについてフレーム誤り数n(k)がi(k)(0≦i(k)≦N(k))に等しくなる確率をP(i(1),i(2),...,i(K))とし、K通り全てについてフレーム誤り数n(k)がi(k)であるときのターゲットSIR増減値を、増加の場合の符号を正、減少の場合の符号を負としてS(i(1),i(2),...,i(K))と表すと、該P(i(1),i(2),...,i(K))に対して、
【数６】
0003817955.tif 000029
となるように前記ターゲットSIR増減値S(i(1),i(2),...,i(K))を設定する
ことを特徴とする請求項１３に記載のセルラーシステム送信電力制御方法。
【請求項１５】
ターゲットSIRがターゲットFER(フレーム誤り率の目標値)を満たす所要SIRに対してΔSIRだけ差を有するとき、
フレーム誤り数nがi(0≦i≦N(1))に等しくなる確率をP(i)とし、フレーム誤り数nがiであるときのターゲットSIR増減値を、増加の場合の符号を正、減少の場合の符号を負としてS(i)と表すと、該P(i)に対して、
【数７】
0003817955.tif 000030
となるように前記ターゲットSIR増減値S(i)を設定する
ことを特徴とする請求項１３に記載のセルラーシステム送信電力制御方法。
【請求項１６】
更新されたn(k)に対応する場合は、フレーム誤り率がターゲットFERに等しいときに、kについてフレーム誤り数n(k)がi(k)(0≦i(k)≦N(k))に等しくなる確率をP(k,i(k))とし、kについてフレーム誤り数n(k)がi(k)であるときのターゲットSIR増減値を、増加の場合の符号を正、減少の場合の符号を負としてS(k,i(k))と表すと、該P(k,i(k))に対して、
【数８】
0003817955.tif 000031
となるように前記ターゲットSIR増減値S(k,i(k))を設定し、
最新のn(1)〜n(K)の値の組合せに対応する場合は、フレーム誤り率がターゲットFERに等しいときに、K通り全てについてフレーム誤り数n(k)がi(k)(0≦i(k)≦N(k))に等しくなる確率をP(i(1),i(2),...,i(K))とし、K通り全てについてフレーム誤り数n(k)がi(k)であるときのターゲットSIR増減値を、増加の場合の符号を正、減少の場合の符号を負としてS(i(1),i(2),...,i(K))と表すと、該P(i(1),i(2),...,i(K))に対して、
【数９】
0003817955.tif 000032
となるように前記ターゲットSIR増減値S(i(1),i(2),...,i(K))を設定する
ことを特徴とする請求項１３に記載のセルラーシステム送信電力制御方法。
【請求項１７】
更新されたn(k)に対応する場合は、フレーム誤り率がターゲットFERに等しいときに、kについてフレーム誤り数n(k)がi(k)(0≦i(k)≦N(k))に等しくなる確率をP(k,i(k))とし、kについてフレーム誤り数n(k)がi(k)であるときのターゲットSIR増減値を、増加の場合の符号を正、減少の場合の符号を負としてS(k,i(k))と表すと、該P(k,i(k))に対して、
【数１０】
0003817955.tif 000033
となるように前記ターゲットSIR増減値S(k,i(k))を設定し、
最新のn(1)〜n(K)の値の組合せに対応する場合は、フレーム誤り率がターゲットFERに等しいときに、K通り全てについてフレーム誤り数n(k)がi(k)(0≦i(k)≦N(k))に等しくなる確率をP(i(1),i(2),...,i(K))とし、K通り全てについてフレーム誤り数n(k)がi(k)であるときのターゲットSIR増減値を、増加の場合の符号を正、減少の場合の符号を負としてS(i(1),i(2),...,i(K))と表すと、該P(i(1),i(2),...,i(K))に対して、
【数１１】
0003817955.tif 000034
となるように前記ターゲットSIR増減値S(i(1),i(2),...,i(K))を設定する
ことを特徴とする請求項１３に記載のセルラーシステム送信電力制御方法。
【請求項１８】
n(k)が更新されたことによりターゲットSIRを変更した直後のN(k)個のフレームの間はターゲットSIRを変更しないことを特徴とする請求項１２から１７のいずれか１項に記載のセルラーシステム送信電力制御方法。
【請求項１９】
送信側装置でフレーム単位で送信のオン／オフを切り替える制御を行い、
送信オフのフレームを、受信側装置におけるフレーム数及びフレーム誤り数のカウントの対象から外し、
前記N又はN(k)を常に一定とすることを特徴とする請求項１、６又は１２に記載のセルラーシステム送信電力制御方法。
【請求項２０】
送信側装置でフレーム単位で送信のオン／オフを切り替える制御を行い、
送信オフのフレームを、受信側装置におけるフレーム数及びフレーム誤り数のカウントの対象から外し、
一定時間内にカウントの対象となったフレーム数を前記N又はN(k)とすることを特徴とする請求項１、６又は１２に記載のセルラーシステム送信電力制御方法。
【請求項２１】
受信側装置の受信信号SIR（信号対干渉電力比）をターゲットSIRと比較し、その差及び大小関係に応じて送信側装置の送信電力を制御するセルラーシステム送信電力制御方法において、
受信側装置で受信信号のフレーム誤りを検知し、
フレーム誤りをm回検知する毎に、フレーム誤りをm回検知するまでのフレーム数Cを求め、
前記フレーム数Cに応じてターゲットSIRを増減することを特徴とするセルラーシステム送信電力制御方法。
【請求項２２】
前記フレーム数Cを所定のしきい値t1及びしきい値t2(t1≦t2)と比較し、
C≦t1の場合にターゲットSIRを所定の値S1だけ増加させ、
C≧t2の場合にターゲットSIRを所定の値S2だけ減少させることを特徴とする請求項２１に記載のセルラーシステム送信電力制御方法。
【請求項２３】
ターゲットSIRがターゲットFER（フレーム誤り率の目標値）を満たす所要SIRに対してΔSIRだけ差を有するとき、
フレーム数Cが前記しきい値t1に対しC≦t1となる確率をP1とし、
フレーム数Cが前記しきい値t2に対しC≧t2となる確率をP2とすると、
P1、P2に対して
S1×P1 − S2×P2 ＝−ΔSIR
となるように前記ターゲットSIR増減値S1及びS2を設定することを特徴とする請求項２２に記載のセルラーシステム送信電力制御方法。
【請求項２４】
ターゲットSIRがターゲットFER（フレーム誤り率の目標値）を満たす所要SIRに対してΔSIRだけ差を有するとき、
フレーム数Cが前記しきい値t1に対しC≦t1となる確率をP1とし、
フレーム数Cが前記しきい値t2に対しC≧t2となる確率をP2とすると、
P1、P2に対して
10＾(S1/10)×P1 + 10^(-S2/10)×P2  + (1-P1-P2) ＝ 10^(-ΔSIR/10)
となるように前記ターゲットSIR増減値S1及びS2を設定することを特徴とする請求項２２に記載のセルラーシステム送信電力制御方法。
【請求項２５】
フレーム誤り率がターゲットFER（フレーム誤り率の目標値）に等しいときにフレーム数Cが前記しきい値t1に対しC≦t1となる確率をP1とし、同じくフレーム誤り率がターゲットFERに等しいときにフレーム数Cが前記しきい値t2に対しC≧t2となる確率をP2とすると、該P1、P2に対して
S1×P1 = S2×P2
となるように前記ターゲットSIR増減値S1及びS2を設定することを特徴とする請求項２２に記載のセルラーシステム送信電力制御方法。
【請求項２６】
フレーム誤り率がターゲットFER（フレーム誤り率の目標値）に等しいときにフレーム数Cが前記しきい値t1に対しC≦t1となる確率をP1とし、同じくフレーム誤り率がターゲットFERに等しいときにフレーム誤り数n(2)が前記しきい値t2に対しC≧t2となる確率をP2とすると、該P1、P2に対して
10＾(S1/10)×P1 + 10^(-S2/10)×P2  ＝ P1 ＋ P2
となるように前記ターゲットSIR増減値S1及びS2を設定することを特徴とする請求項２２に記載のセルラーシステム送信電力制御方法。
【請求項２７】
前記フレーム数Cに対応するターゲットSIR増減値の対応表を予め具備しており、
フレーム数Cが更新された時点で、ターゲットSIR増減値を前記対応表から求め、
前記ターゲットSIR増減値だけターゲットSIRを増減することを特徴とする請求項２１に記載のセルラーシステム送信電力制御方法。
【請求項２８】
フレーム誤り率がターゲットFERに等しいときにフレーム数Cがi(m≦i)に等しくなる確率をP(i)とし、フレーム数CがiであるときのターゲットSIR増減値を、増加の場合の符号を正、減少の場合の符号を負としてS(i)と表すと、該P(i)に対して、
【数１２】
0003817955.tif 000035
となるように前記ターゲットSIR増減値S(i)を設定する
ことを特徴とする請求項２７に記載のセルラーシステム送信電力制御方法。
【請求項２９】
ΔSIRは−2dB以上0dB未満に設定することを特徴とする請求項２、３、７、８、１４、１５、２３又は２４に記載のセルラーシステム送信電力制御方法。
【請求項３０】
ΔSIRは0dBより大きくかつ2dB以下に設定することを特徴とする請求項２、３、７、８、１４、１５、２３又は２４に記載のセルラーシステム送信電力制御方法。
【請求項３１】
前記M、M(k)、N、(k)、t1、t2又はmは、時間的に変化させることができることを特徴とする請求項１から３０のいずれか１項に記載のセルラーシステム送信電力制御方法。
【請求項３２】
前記M、M(k)、N、N(k)、t1、t2、m及びターゲットSIR増減値S(i(k))のいずれか１つ又は複数を送信側装置から受信側装置に通知することを特徴とする請求項１から３１のいずれか１項に記載のセルラーシステム送信電力制御方法。
【発明の詳細な説明】
【０００１】
【発明の属する技術分野】
本発明は、セルラーシステムにおける、受信側装置の受信信号SIR（信号対干渉電力比）をターゲットSIRと比較し、その差及び大小関係に応じて送信側装置の送信電力を制御する送信電力制御方法に関する。
【０００２】
【従来の技術】
従来、セルラーシステムの移動局と基地局との間は、無線リンクが双方向に接続されている。移動局と基地局との間の無線リンクにCDMA（Code Division Multiple Access，符号分割多元接続）方式を用いるCDMAセルラーシステムについて、一般に、全ての移動局は、同一の周波数で上り信号を送信する。また、全ての基地局は、同一の周波数で下り信号を送信する。但し、上り信号の周波数と下り信号の周波数とは異なり、即ちFDD（Frequency Division Duplex，時分割複信）方式が用いられている。
【０００３】
上り又は下りそれぞれにおいて同一の周波数が使用されることから、ある移動局（又は基地局）から送信された信号は、他の信号にとっては干渉となる。送信電力が大きいほど干渉が大きくなるため、CDMAセルラーシステムにおいては、移動局・基地局とも送信電力制御を行うことにより、送信電力を必要最小限に抑えて干渉を低減させることが行われる（移動局の送信電力制御は「上り送信電力制御」と称され、基地局の送信電力制御は「下り送信電力制御」と称される）。
【０００４】
移動局の送信電力制御を行う場合、基地局において当該移動局からの信号の受信SIRを測定し、その値が目標SIR（以下「ターゲットSIR」と称す）より大きい場合は、基地局は移動局に対して送信電力を下げるように指示する。逆に、受信SIRがターゲットSIRより小さい場合は、基地局は移動局に対して送信電力を上げるように指示する。
【０００５】
基地局の送信電力制御を行う場合も、移動局と基地局の役割が入れ替わるだけで移動局の送信電力制御の場合と同様の制御が行われる。
【０００６】
以上のような送信電力制御は、受信SIRをほぼ一定にする働きがあるが、受信SIRが一定であってもフレーム誤り率又はビット誤り率などの通信品質は必ずしも一定になるとは限らない。そこで、フレーム誤り率又はビット誤り率をほぼ一定とするために、「アウターループ制御」と称される制御が用いられる。アウターループ制御においては、受信側装置で検知される通信品質（フレーム誤り率又はビット誤り率など）に基づいて、検知された通信品質が目標とする品質より悪い場合はターゲットSIRを増加させ、逆に検知された通信品質が目標とする品質より良い場合はターゲットSIRを減少させるという制御を行う。
【０００７】
従来の第１のアウターループ制御方法は、例えば文献「W-CDMA移動通信システムにおけるアウターループ送信電力制御の適用効果」（臼田ほか著，電子情報通信学会1998年総合大会，B-5-114，1998年3月）に示される方法がある。この方法によれば、指数重み付けによりフレーム誤り率（FER）を測定し、これを一定フレーム数毎にターゲットFER（目標とするFER）と比較し、その大小関係によってターゲットSIR（文献中では目標Eb/Ioに相当）を一定値（増減とも同じ値）だけ増減させる。この方法を部分的に変更した方法として、文献「W-CDMAにおけるアウターループを用いる適応送信電力制御の伝送実験特性」（樋口ほか著，電子情報通信学会1998年総合大会，B-5-92，1998年3月）に示されるように、一定フレーム数毎のフレーム誤り数をカウントすることによりフレーム誤り率の測定をするようにした方法もある。
【０００８】
従来の第２のアウターループ制御方法は、フレーム毎にフレーム誤りの有無を検知し、フレーム誤りがある場合はターゲットSIRを一定値S1だけ増加させ、フレーム誤りがない場合はターゲットSIRを一定値S2だけ減少させる。このときターゲットFERをpとすると
S1×p = S2×(1-p)
となるようにS1, S2を設定することにより、長期的な平均FERがターゲットFERに等しくなる。
【０００９】
【発明が解決しようとする課題】
しかし、第１の課題として、従来の第１の方法では、FER測定時間を短く設定すると、フレーム誤りの確率がターゲットFERに等しい状態では測定FERが0となる確率が高くなり、ターゲットSIRが低下する。即ち、アウターループ制御が定常状態になったときには、実際のフレーム誤り確率は、ターゲットFERよりも高い状態となってしまう。つまり、必然的に従来の第１の方法では、ターゲットFER（=p）に対して1/pフレーム以上の長い測定時間が必要となるが、ターゲットFERが低い場合は所要測定時間が極めて長くなり、急激な環境の変動等により所要SIRが変化した場合に追従できない状況が生ずる。
【００１０】
また、従来の第２の方法では、ターゲットFERが小さいときに、SIR増加量S1とSIR減少量S2との差が大きくなる。SIR増加量S1を大きくすると、所要SIRが変化しない状況において、確率的なフレーム誤り発生によってターゲットSIRが必要以上に増加し、その結果平均的なSIRが高くなってしまう。これは送信側装置の平均送信電力が必要以上に高くなることを意味する。一方、SIR増加量S1を小さくすると、それに比例してSIR減少量S2も小さくなり、急激な環境の変動等により所要SIRが低くなる方向に変化した場合に追従できない状況が生ずる。
【００１１】
次に、第２の課題として、DTX制御などのように送信側装置でフレーム単位で送信のオン・オフを切り替える制御を行う場合に、受信側装置では送信オフのフレームをフレーム誤りとみなす場合がある。このような場合に上記のアウターループ制御を適用すると、測定FERが実際のFERよりも高くなり、ターゲットSIRが必要以上に高くなってしまうことが考えられる。
【００１２】
本発明の目的は、前述したような課題に対処できる、セルラーシステム送信電力制御方法を提供することである。
【００１３】
【課題を解決するための手段】
従って、本発明のセルラーシステム送信電力制御方法は、
受信側装置の受信信号SIR（信号対干渉電力比）をターゲットSIRと比較し、その差及び大小関係に応じて送信側装置の送信電力を制御するセルラーシステム送信電力制御方法において、
受信側装置で受信信号のフレーム誤りを検知し、
１つの測定フレーム数Nが規定されており、一定フレーム数M毎又はフレーム誤り発生毎に、現フレームから直前N個のフレームについてフレーム誤り数nを求め、
フレーム誤り数nを、所定のしきい値t1及びしきい値t2(t1＞t2)と比較し、
n≧t1の場合にターゲットSIRを所定の値S1だけ増加させ、
n≦t2の場合にターゲットSIRを所定の値S2だけ減少させることを特徴とする。
【００１４】
本発明に他の実施形態によれば、
ターゲットSIRがターゲットFER（フレーム誤り率の目標値）を満たす所要SIRに対してΔSIRだけ差を有するとき、
フレーム誤り数nがしきい値t1に対しn≧t1となる確率をP1とし、
フレーム誤り数nがしきい値t2に対しn≦t2となる確率をP2とすると、
S1×P1 − S2×P2 ＝−ΔSIR
となるようにターゲットSIR増減値S1及びS2を設定することも好ましい。
【００１５】
また、本発明に他の実施形態によれば、
ターゲットSIRがターゲットFER（フレーム誤り率の目標値）を満たす所要SIRに対してΔSIRだけ差を有するとき、
フレーム誤り数nがしきい値t1に対しn≧t1となる確率をP1とし、
フレーム誤り数nがしきい値t2に対しn≦t2となる確率をP2とすると、
10＾(S1/10)×P1 + 10^(-S2/10)×P2  + (1-P1-P2) ＝ 10^(−ΔSIR/10)
となるようにターゲットSIR増減値S1及びS2を設定することも好ましい。
【００１６】
また、本発明の他の実施形態によれば、
フレーム誤り率がターゲットFER（フレーム誤り率の目標値）に等しいときにフレーム誤り数nがしきい値t1に対しn≧t1となる確率をP1とし、
同じくフレーム誤り率がターゲットFERに等しいときにフレーム誤り数nがしきい値t2に対しn≦t2となる確率をP2とすると、
S1×P1 = S2×P2
となるようにターゲットSIR増減値S1及びS2を設定することも好ましい。
【００１７】
また、本発明の他の実施形態によれば、
フレーム誤り率がターゲットFER（フレーム誤り率の目標値）に等しいときにフレーム誤り数nがしきい値t1に対しn≧t1となる確率をP1とし、
同じくフレーム誤り率がターゲットFERに等しいときにフレーム誤り数nがしきい値t2に対しn≦t2となる確率をP2とすると、
10＾(S1/10)×P1 + 10^(-S2/10)×P2  ＝ P1 ＋ P2
となるようにターゲットSIR増減値S1及びS2を設定することも好ましい。
【００１８】
本発明によれば、
受信側装置の受信信号SIR（信号対干渉電力比）をターゲットSIRと比較し、その差及び大小関係に応じて送信側装置の送信電力を制御するセルラーシステム送信電力制御方法において、
受信側装置で受信信号のフレーム誤りを検知し、
１つの測定フレーム数Nが規定されており、一定フレーム数M毎又はフレーム誤り発生毎に、現フレームから直前N個のフレームについてフレーム誤り数nを求め、
フレーム誤り数nに対応するターゲットSIR増減値の対応表を予め具備しており、
フレーム誤り数nが更新された時点で、更新されたnの値に対応するターゲットSIR増減値を対応表から求め、
ターゲットSIR増減値だけターゲットSIRを増減することを特徴とする。
【００１９】
本発明の他の実施形態によれば、
ターゲットSIRがターゲットFER（フレーム誤り率の目標値）を満たす所要SIRに対してΔSIRだけ差を有するとき、
フレーム誤り数nがi(0≦i≦N)に等しくなる確率をP(i)とし、
フレーム誤り数nがiであるときのターゲットSIR増減値を、増加の場合の符号を正、減少の場合の符号を負としてS(i)と表すと、
【数１３】
0003817955.tif 000002
となるようにターゲットSIR増減値S(i)を設定する
ことも好ましい。
【００２０】
また、本発明の他の実施形態によれば、
ターゲットSIRがターゲットFER(フレーム誤り率の目標値)を満たす所要SIRに対してΔSIRだけ差を有するとき、
フレーム誤り数nがi(0≦i≦N)に等しくなる確率をP(i)とし、
フレーム誤り数nがiであるときのターゲットSIR増減値を、増加の場合の符号を正、減少の場合の符号を負としてS(i)と表すと、
【数１４】
0003817955.tif 000003
となるようにターゲットSIR増減値S(i)を設定する
ことも好ましい。
【００２１】
また、本発明の他の実施形態によれば、
フレーム誤り率がターゲットFERに等しいときにフレーム誤り数nがi(0≦i≦N)に等しくなる確率をP(i)とし、
フレーム誤り数nがiであるときのターゲットSIR増減値を、増加の場合の符号を正、減少の場合の符号を負としてS(i)と表すと、
【数１５】
0003817955.tif 000004
となるようにターゲットSIR増減値S(i)を設定する
ことも好ましい。
【００２２】
また、本発明の他の実施形態によれば、
フレーム誤り率がターゲットFERに等しいときにフレーム誤り数nがi(0≦i≦N)に等しくなる確率をP(i)とし、
フレーム誤り数nがiであるときのターゲットSIR増減値を、増加の場合の符号を正、減少の場合の符号を負としてS(i)と表すと、
【数１６】
0003817955.tif 000005
となるようにターゲットSIR増減値S(i)を設定する
ことも好ましい。
【００２３】
また、本発明の他の実施形態によれば、
ターゲットSIRを変更した直後のN個のフレームの間はターゲットSIRを変更しないことも好ましい。
【００２４】
本発明によれば、
受信側装置の受信信号SIR（信号対干渉電力比）をターゲットSIRと比較し、その差及び大小関係に応じて送信側装置の送信電力を制御するセルラーシステム送信電力制御方法において、
受信側装置で受信信号のフレーム誤りを検知し、
該検知されたフレーム誤りをカウントする機能をK(≧2)通り有し、
それぞれの（k番目の）フレーム誤りカウント機能（1≦k≦K）について、測定フレーム数N(k)及び必要に応じてフレーム誤り数出力周期フレーム数M(k)が規定されており、一定フレーム数M(k)毎又はフレーム誤り発生毎に、現フレームから直前N(k)個のフレームについてフレーム誤り数n(k)を求め、
K通りのフレーム誤りカウント機能について求めたフレーム誤り数n(1)〜n(K)の複数の組み合わせに応じてターゲットSIRを増減することを特徴とする。
【００２５】
また、本発明の他の実施形態によれば、
フレーム誤り数n(1)〜n(k)のそれぞれ又は組合せに対応するターゲットSIR増減値の対応表を予め具備しており、
フレーム誤り数n(1)〜n(K)のいずれかが更新された時点で、更新されたn(k)又は最新のn(1)〜n(K)の値の組合せに対応するターゲットSIR増減値を対応表から求め、
ターゲットSIR増減値だけターゲットSIRを増減することも好ましい。
【００２６】
また、本発明の他の実施形態によれば、
ターゲットSIRがターゲットFER（フレーム誤り率の目標値を満たす所要SIRに対してΔSIRだけ差を有するとき、
更新されたn(k)に対応する場合は、kについてフレーム誤り数n(k)がi(k)(0≦i(k)≦N(k))に等しくなる確率をP(k,i(k))とし、kについてフレーム誤り数n(k)がi(k)であるときのターゲットSIR増減値を、増加の場合の符号を正、減少の場合の符号を負としてS(k,i(k))と表すと、該P(k,i(k))に対して、
【数１７】
0003817955.tif 000006
となるようにターゲットSIR増減値S(k,i(k))を設定し、
最新のn(1)〜n(K)の値の組合せに対応する場合は、K通り全てについてフレーム誤り数n(k)がi(k)(0≦i(k)≦N(k))に等しくなる確率をP(i(1),i(2),...,i(K))とし、K通り全てについてフレーム誤り数n(k)がi(k)であるときのターゲットSIR増減値を、増加の場合の符号を正、減少の場合の符号を負としてS(i(1),i(2),...,i(K))と表すと、該P(i(1),i(2),...,i(K))に対して、
【数１８】
0003817955.tif 000007
となるようにターゲットSIR増減値S(i(1),i(2),...,i(K))を設定する
ことも好ましい。
【００２７】
また、本発明の他の実施形態によれば、
ターゲットSIRがターゲットFER(フレーム誤り率の目標値)を満たす所要SIRに対してΔSIRだけ差を有するとき、
フレーム誤り数nがi(0≦i≦N(1))に等しくなる確率をP(i)とし、フレーム誤り数nがiであるときのターゲットSIR増減値を、増加の場合の符号を正、減少の場合の符号を負としてS(i)と表すと、該P(i)に対して、
【数１９】
0003817955.tif 000008
となるようにターゲットSIR増減値S(i)を設定する
ことも好ましい。
【００２８】
また、本発明の他の実施形態によれば、
更新されたn(k)に対応する場合は、フレーム誤り率がターゲットFERに等しいときに、kについてフレーム誤り数n(k)がi(k)(0≦i(k)≦N(k))に等しくなる確率をP(k,i(k))とし、kについてフレーム誤り数n(k)がi(k)であるときのターゲットSIR増減値を、増加の場合の符号を正、減少の場合の符号を負としてS(k,i(k))と表すと、該P(k,i(k))に対して、
【数２０】
0003817955.tif 000009
となるようにターゲットSIR増減値S(k,i(k))を設定し、
最新のn(1)〜n(K)の値の組合せに対応する場合は、フレーム誤り率がターゲットFERに等しいときに、K通り全てについてフレーム誤り数n(k)がi(k)(0≦i(k)≦N(k))に等しくなる確率をP(i(1),i(2),...,i(K))とし、K通り全てについてフレーム誤り数n(k)がi(k)であるときのターゲットSIR増減値を、増加の場合の符号を正、減少の場合の符号を負としてS(i(1),i(2),...,i(K))と表すと、該P(i(1),i(2),...,i(K))に対して、
【数２１】
0003817955.tif 000010
となるようにターゲットSIR増減値S(i(1),i(2),...,i(K))を設定する
ことも好ましい。
【００２９】
また、本発明の他の実施形態によれば、
更新されたn(k)に対応する場合は、フレーム誤り率がターゲットFERに等しいときに、kについてフレーム誤り数n(k)がi(k)(0≦i(k)≦N(k))に等しくなる確率をP(k,i(k))とし、kについてフレーム誤り数n(k)がi(k)であるときのターゲットSIR増減値を、増加の場合の符号を正、減少の場合の符号を負としてS(k,i(k))と表すと、該P(k,i(k))に対して、
【数２２】
0003817955.tif 000011
となるようにターゲットSIR増減値S(k,i(k))を設定し、
最新のn(1)〜n(K)の値の組合せに対応する場合は、フレーム誤り率がターゲットFERに等しいときに、K通り全てについてフレーム誤り数n(k)がi(k)(0≦i(k)≦N(k))に等しくなる確率をP(i(1),i(2),...,i(K))とし、K通り全てについてフレーム誤り数n(k)がi(k)であるときのターゲットSIR増減値を、増加の場合の符号を正、減少の場合の符号を負としてS(i(1),i(2),...,i(K))と表すと、該P(i(1),i(2),...,i(K))に対して、
【数２３】
0003817955.tif 000012
となるようにターゲットSIR増減値S(i(1),i(2),...,i(K))を設定する
ことをも好ましい。
【００３０】
また、本発明の他の実施形態によれば、
n(k)が更新されたことによりターゲットSIRを変更した直後のN(k)個のフレームの間はターゲットSIRを変更しないことも好ましい。
【００３１】
また、本発明の他の実施形態によれば、
送信側装置でフレーム単位で送信のオン／オフを切り替える制御を行い、
送信オフのフレームを、受信側装置におけるフレーム数及びフレーム誤り数のカウントの対象から外し、
N又はN(k)を常に一定とすることも好ましい。
【００３２】
また、本発明の他の実施形態によれば、
送信側装置でフレーム単位で送信のオン／オフを切り替える制御を行い、
送信オフのフレームを、受信側装置におけるフレーム数及びフレーム誤り数のカウントの対象から外し、
一定時間内にカウントの対象となったフレーム数をN又はN(k)とすることも好ましい。
【００３３】
本発明によれば、
受信側装置の受信信号SIR（信号対干渉電力比）をターゲットSIRと比較し、その差及び大小関係に応じて送信側装置の送信電力を制御するセルラーシステム送信電力制御方法において、
受信側装置で受信信号のフレーム誤りを検知し、
フレーム誤りをm回検知する毎に、フレーム誤りをm回検知するまでのフレーム数Cを求め、
フレーム数Cに応じてターゲットSIRを増減することを特徴とする。
【００３４】
本発明の他の実施形態によれば、
フレーム数Cを所定のしきい値t1及びしきい値t2(t1≦t2)と比較し、
C≦t1の場合にターゲットSIRを所定の値S1だけ増加させ、
C≧t2の場合にターゲットSIRを所定の値S2だけ減少させることも好ましい。
【００３５】
また、本発明の他の実施形態によれば、
ターゲットSIRがターゲットFER（フレーム誤り率の目標値）を満たす所要SIRに対してΔSIRだけ差を有するとき、
フレーム数Cがしきい値t1に対しC≦t1となる確率をP1とし、
フレーム数Cがしきい値t2に対しC≧t2となる確率をP2とすると、
P1、P2に対して
S1×P1 − S2×P2 ＝−ΔSIR
となるようにターゲットSIR増減値S1及びS2を設定することも好ましい。
【００３６】
また、本発明の他の実施形態によれば、
ターゲットSIRがターゲットFER（フレーム誤り率の目標値）を満たす所要SIRに対してΔSIRだけ差を有するとき、
フレーム数Cがしきい値t1に対しC≦t1となる確率をP1とし、
フレーム数Cがしきい値t2に対しC≧t2となる確率をP2とすると、
P1、P2に対して
10＾(S1/10)×P1 + 10^(-S2/10)×P2  + (1-P1-P2) ＝ 10^(-ΔSIR/10)
となるようにターゲットSIR増減値S1及びS2を設定することも好ましい。
【００３７】
また、本発明の他の実施形態によれば、
フレーム誤り率がターゲットFER（フレーム誤り率の目標値）に等しいときにフレーム数Cがしきい値t1に対しC≦t1となる確率をP1とし、同じくフレーム誤り率がターゲットFERに等しいときにフレーム数Cがしきい値t2に対しC≧t2となる確率をP2とすると、該P1、P2に対して
S1×P1 = S2×P2
となるようにターゲットSIR増減値S1及びS2を設定することも好ましい。
【００３８】
また、本発明の他の実施形態によれば、
フレーム誤り率がターゲットFER（フレーム誤り率の目標値）に等しいときにフレーム数Cがしきい値t1に対しC≦t1となる確率をP1とし、同じくフレーム誤り率がターゲットFERに等しいときにフレーム誤り数n(2)がしきい値t2に対しC≧t2となる確率をP2とすると、該P1、P2に対して
10＾(S1/10)×P1 + 10^(-S2/10)×P2  ＝ P1 ＋ P2
となるようにターゲットSIR増減値S1及びS2を設定することも好ましい。
【００３９】
また、本発明の他の実施形態によれば、
フレーム数Cに対応するターゲットSIR増減値の対応表を予め具備しており、
フレーム数Cが更新された時点で、ターゲットSIR増減値を対応表から求め、
ターゲットSIR増減値だけターゲットSIRを増減することも好ましい。
【００４０】
また、本発明の他の実施形態によれば、
フレーム誤り率がターゲットFERに等しいときにフレーム数Cがi(m≦i)に等しくなる確率をP(i)とし、フレーム数CがiであるときのターゲットSIR増減値を、増加の場合の符号を正、減少の場合の符号を負としてS(i)と表すと、該P(i)に対して、
【数２４】
0003817955.tif 000013
となるようにターゲットSIR増減値S(i)を設定する
ことも好ましい。
【００４１】
また、本発明の他の実施形態によれば、ΔSIRは、−2dB以上0dB未満に設定することも好ましい。また、ΔSIRは、0dBより大きくかつ2dB以下に設定するものであってもよい。
【００４２】
また、本発明の他の実施形態によれば、M、M(k)、N、(k)、t1、t2又はmは、時間的に変化させることができることも好ましい。
【００４３】
更に、本発明の他の実施形態によれば、M、M(k)、N、N(k)、t1、t2、m及びターゲットSIR増減値S(i(k))のいずれか１つ又は複数を送信側装置から受信側装置に通知することも好ましい。
【００４４】
これにより、ターゲットSIRの増減を行う制御の間隔（一定フレーム数M(k)）を、フレーム誤り数をカウントする対象の測定フレーム数N(k)と独立に設定できるため、本方法を実装するに当たっての自由度が増す。即ち、例えばN(k)に対して一定フレーム数M(k)を小さく設定すれば、フレーム誤り発生からSIR増減制御までの遅延時間を小さくすることができ、所要SIRの変動に対する追従性を高めることができる。また、本方法を実行するための処理量を低減する必要があれば、一定フレーム数M(k)のみを大きく設定することで対応可能となる。
【００４５】
【発明の実施の形態】
以下では、図面を用いて、本発明によるセルラーシステム送信電力制御方法の典型的な実施形態について説明する。ここで、送信側装置／受信側装置は、セルラーシステムにおける基地局又は移動局を意味し、送信側装置が基地局の場合は、受信側装置は移動局となる。逆に、送信側装置が移動局の場合は、受信側装置は基地局となる。
【００４６】
図１は、本発明による第１の実施形態のブロック図である。該ブロック図は、フレーム誤り検出機能１、フレーム誤りカウント機能２１、しきい値判定機能３１、ターゲットSIR増減量決定機能４１、ターゲットSIR決定機能６及び送信電力制御系９で構成されている。
【００４７】
送信電力制御系９は、送信側装置にある送信機能と受信側装置にある受信機能とから構成され、送信機能から送信されて受信機能で受信する信号のSIRが、送信電力制御系９の外部から与えられるターゲットSIRの値に等しくなるように、送信側装置の送信電力を制御するように動作するものである。
【００４８】
図２は、送信電力制御系９の一実施形態のブロック図である。該ブロック図は、検波機能９１、受信SIR測定機能９２、SIR比較機能９３、送信電力決定機能９４、送信電力増減制御機能９５及び送信機能９６から構成されている。
【００４９】
送信機能９６から送信された信号は、受信機能の検波機能９１で受信される。受信信号は検波機能９１から送信電力制御系９の外部に出力されると共に、受信SIR測定機能９２に入力されて同機能によって受信信号のSIRが測定される。測定された受信SIRは、SIR比較機能９３において、送信電力制御系９の外部から入力されるターゲットSIRと比較され、比較結果が送信電力増減量決定機能９４に伝えられる。送信電力増減量決定機能９４はSIR比較結果（大小関係、差など）をもとに送信側装置の送信電力の増減量を決定し、送信側装置の送信電力増減制御機能９５に伝える。送信電力増減制御機能９５は、伝えられた送信電力増減量に応じて送信機能９６の送信電力を増減させる。以上のような動作により、一般に送信電力制御系９において、送信機能から送信されて受信機能で受信する信号のSIRが、送信電力制御系９の外部から与えられるターゲットSIRの値に等しくなるように、送信側装置の送信電力が制御される。
【００５０】
本発明はこのような送信電力制御系９に対して適切なターゲットSIRを提供する役割を果たし、図１に示す第１の実施形態では次のように動作が行われる。
【００５１】
最初に、送信電力制御系９から供給される受信信号について、フレーム誤り検出機能１によってフレーム毎のフレーム誤りを検出し、フレーム誤りの有無についての情報がフレーム誤りカウント機能２１にフレーム毎に入力される。フレーム誤りカウント機能２１は、フレーム毎に入力される情報を元に、直前の測定フレーム数N個（Nはいずれも1以上の整数）のフレーム中におけるフレーム誤り数を常にカウントし、その値を一定フレーム数M毎に又はフレーム誤り発生毎に出力する。しきい値判定機能３１は、入力されるフレーム誤り数（nとする）を予め設定されたしきい値t1, t2（t1≧t2）と比較し、比較結果としてn≧t1であるか否か及びn≦t2であるか否かをターゲットSIR増減量決定機能４１に伝える。ターゲットSIR増減量決定機能４１は、n≧t1であることが伝えられた場合はターゲットSIR増減量を+S1と決定する。またn≦t2であることが伝えられた場合はターゲットSIR増減量を-S2と決定する。n≧t1、n≦t2のいずれでもないことが伝えられた場合はターゲットSIR増減量を０と決定する。このようにして決定されたターゲットSIR増減量はターゲットSIR決定機能６に伝えられる。ターゲットSIR決定機能６はターゲットSIRの値を保持して常に出力し、ターゲットSIR増減量決定機能４１からターゲットSIR増減量が伝えられたとき保持しているターゲットSIRをターゲットSIR増減量だけ増減させ、増減された後のターゲットSIRをその後保持して常に出力する。このようにしてターゲットSIR決定機能６から出力されるターゲットSIRの値が、送信電力制御系９に与えられ、前述のように受信SIRの目標値として用いられる。
【００５２】
以上述べた方法の中で、パラメータN, t1, t2は任意の値を設定することが可能であり、場合によっては動作中に値を変更することも可能である。
【００５３】
一方、ターゲットSIR増減量S1及びS2については、適切な値を設定することにより、長期的な平均フレーム誤り率（FER）をターゲットFERと等しくすることができる。具体的には、長期的な平均FERがターゲットFERに等しいときにフレーム誤り数nがしきい値t1に対しn≧t1となる確率をP1とし、同じ条件下でフレーム誤り数nがしきい値t2に対しn≦t2となる確率をP2とすると、該P1、P2に対して
S1×P1 = S2×P2
となるようにターゲットSIR増減値S1及びS2を設定すればよい。このように設定すれば、長期的な平均FERがターゲットFERに等しい条件下で長期的なターゲットSIRの変動が0となるため、逆に考えれば長期的なターゲットSIRの変動が0となるような定常状態では、長期的な平均FERがターゲットFERにほぼ等しくなると考えることができる。
【００５４】
以上に示したSIR増減値S1, S2の設定方法によれば、しきい値t1, t2の値の選択によって確率P1, P2が変わるためにS1とS2の値の比率を調整することができる。即ちS1とS2の値に極端な差がないように設定することができ、それによってターゲットSIRの必要以上に大きな変動を抑えることができる。また、ターゲットFER（=p）に対して測定フレーム数Nを1/pフレーム以下としても、上記のS1, S2設定方法を適用することができ、長期的な平均FERをターゲットFERとほぼ等しくすることができる。即ち測定フレーム数Nをある程度小さくすることにより所要SIRの急激な変化に追従することが可能である。これらによって、本発明は前述した第１の課題に対処している。
【００５５】
図３は、本発明による第２の実施形態のブロック図である。そのブロック図は、フレーム誤り検出機能１、フレーム誤りカウント機能２１、ターゲットSIR増減量決定機能４２、ターゲットSIR増減値表５２、ターゲットSIR決定機能６、及び送信電力制御系９で構成されている。これらのうち、フレーム誤り検出機能１、フレーム誤りカウント機能２１、ターゲットSIR決定機能６及び送信電力制御系９は、第１の実施形態におけるそれらと同等の動作をする。
【００５６】
第２の実施形態においては、ターゲットSIR増減値表５２として例えば表1に示すような表を予め具備している。
【００５７】
【表１】
0003817955.tif 000014
【００５８】
表１は、フレーム誤り数nがi（0≦i≦N）であるときのSIR増減値S(i)を示したものであり、表１においては例えばn=1の時のSIR増減値は-0.6dB、n=3の時のSIR増減値は+1.5dBというような対応が示されている。ターゲットSIR増減量決定機能４２は、フレーム誤りカウント機能２１が一定フレーム数M(k)毎に出力するフレーム誤り数を受け取る毎に、ターゲットSIR増減値表５２を参照して当該フレーム誤り数に対応するSIR増減値を決定し、ターゲットSIR決定機能６に伝える。ターゲットSIR決定機能６から出力されるターゲットSIRの値がやはり送信電力制御系９に与えられ、受信SIRの目標値として用いられる。ｋの実施形態においても、パラメータNは任意の値を設定することが可能であり、場合によっては動作中に値を変更することも可能である。
【００５９】
フレーム誤り数に対応するSIR増減値S(i)（0≦i≦N）については、次のように設定することにより、長期的なFERをターゲットFERと等しくすることができる。即ち、フレーム誤り率がターゲットFERに等しいときにフレーム誤り数nがi（0≦i≦N）に等しくなる確率をP(i)とすると、
【数２５】
0003817955.tif 000015
となるようにターゲットSIR増減値S(i)（0≦i≦N）を設定すればよい。
【００６０】
ターゲットSIR増減値S(i)（0≦i≦N）は柔軟に設定することができ、適切に設定することによってターゲットSIRの必要以上に大きな変動を抑えることができる。また第１の実施形態と同様に、測定フレーム数Nをある程度小さくすることにより所要SIRの急激な変化に追従することが可能である。これらによって、やはり本発明は前述した第１の課題に対処している。
【００６１】
尚、第１及び第２の実施形態においてNとMが等しい場合は、フレーム誤りカウント機能２１において単純にNフレーム毎のフレーム誤り数をカウントして出力すればよいことになるので処理が簡易になるという効果がある。
【００６２】
また、第１及び第２の実施形態において、ターゲットSIR変更直後のNフレームの間は、フレーム誤りカウント機能２１でカウントしたフレーム誤りとして、ターゲットSIR変更前に生じた誤りが含まれている可能性があるため、その間はターゲットSIR増減の制御を行わないことにより、過度の制御が行われないようにすることも可能である。
【００６３】
図４は、本発明による第３の実施形態のブロック図である。そのブロック図は、フレーム誤り検出機能１、フレーム誤りカウント機能２３１及び２３２、しきい値判定機能３３１及び３３２、ターゲットSIR増減量決定機能４３、ターゲットSIR決定機能６及び送信電力制御系９で構成されている。これらのうち、フレーム誤り検出機能１、ターゲットSIR決定機能６及び送信電力制御系９は、第１の実施形態におけるそれらと同等の動作をする。第３の実施形態においては、２つのフレーム誤りカウント機能２３１及び２３２が独立に動作する。即ち、フレーム誤りカウント機能２３１は、直前のN(1)フレーム中のフレーム誤り数を常にカウントしてその値を第１の一定フレーム数M(1)毎に出力し、一方フレーム誤りカウント機能２３２は、直前のN(2)フレーム中のフレーム誤り数を常にカウントしてその値を第２の一定フレーム数M(2)毎に出力する（N(1), N(2), 第１の一定フレーム数M(1)、第２の一定フレーム数M(2)は、いずれも1以上の整数、N(2)≠N(1)）。しきい値判定機能３３１は、フレーム誤りカウント機能２３１から入力されるフレーム誤り数（n1とする）を予め設定されたしきい値t1と比較し、比較結果としてn1≧t1であるか否かをターゲットSIR増減量決定機能４３に伝える。また、しきい値判定機能３３２は、フレーム誤りカウント機能２３２から入力されるフレーム誤り数（n2とする）を予め設定されたしきい値t2と比較し、比較結果としてn2≦t2であるか否かをターゲットSIR増減量決定機能４３に伝える。ターゲットSIR増減量決定機能４３は、n1≧t1であることが伝えられた場合はターゲットSIR増減量を+S1と決定して出力する。またn2≦t2であることが伝えられた場合はターゲットSIR増減量を-S2と決定して出力する。それ以外の場合はSIR増減量を0と決定するか又はSIR増減量自体を出力しない。このようにして出力されたターゲットSIR増減量はターゲットSIR決定機能６に伝えられる。ターゲットSIR決定機能６から出力されるターゲットSIRの値がやはり送信電力制御系９に与えられ、受信SIRの目標値として用いられる。
【００６４】
本実施形態においても、パラメータN(1), N(2), t1, t2、一定フレーム数M(1), M(2)は、任意の値を設定することが可能であり、場合によっては動作中に値を変更することも可能である。
【００６５】
第１の実施形態と同様に、ターゲットSIR増減量S1及びS2については、適切な値を設定することにより、長期的な平均FERをターゲットFERと等しくすることができる。具体的には、長期的な平均FERがターゲットFERに等しいときにフレーム誤り数n1がしきい値t1に対しn1≧t1となる確率をP1とし、同じ条件下でフレーム誤り数n2がしきい値t2に対しn2≦t2となる確率をP2とすると、該P1、P2に対して
S1×P1 = S2×P2
となるようにターゲットSIR増減値S1及びS2を設定すればよい。
【００６６】
以上のような方法によって第１の実施形態と同様の効果を得ることができ、やはり前述した第１の課題に対処している。
【００６７】
尚、ターゲットSIRを増加させた直後のN(1)フレームの間及びターゲットSIRを減少させた直後のN(2)フレームの間は、フレーム誤りカウント機能２３１及び２３２でカウントしたフレーム誤りとして、ターゲットSIR変更前に生じた誤りが含まれている可能性があるため、その間はターゲットSIR増減の制御を行わないことにより、過度の制御が行われないようにすることも可能である。
【００６８】
図５は、本発明による第４の実施形態のブロック図である。そのブロック図は、フレーム誤り検出機能１、フレーム誤りカウント機能２４１, ２４２, …, ２４Ｋ、ターゲットSIR増減量決定機能４４、ターゲットSIR増減値表５４、ターゲットSIR決定機能６、送信電力制御系９である。これらのうち、フレーム誤り検出機能１、ターゲットSIR決定機能６及び送信電力制御系９は第１の実施形態におけるそれらと同等の動作をする。第４の実施形態においては、Ｋのフレーム誤りカウント機能２３１, ２３２, …, ２３Ｋが独立に動作する。即ち、フレーム誤りカウント機能２３ｋ（1≦k≦K）は、直前のN(k)フレーム中のフレーム誤り数を常にカウントしてその値n(k)を一定フレーム数M(k)毎に出力する（N(k)はいずれも1以上の整数）。
【００６９】
このようにして得られるフレーム誤り数n(1), n(2), … , n(K)の組合せに対応するターゲットSIR増減値の対応を示す表がターゲットSIR増減値表５４であり、例えば表２に示すような内容を持つ。
【００７０】
【表２】
0003817955.tif 000016
【００７１】
表２はK=4の場合の一例であり、n(1)=0, n(2)=0, n(3)=1, n(4)=1の時のSIR増減値は-0.8dB、n(1)=1, n(2)=1, n(3)=1, n(4)=1の時のSIR増減値は+0.3dBというような対応が示されている。ターゲットSIR増減量決定機能４４は、フレーム誤りカウント機能２４１, ２４２, ２４Ｋが出力するフレーム誤り数n(1), n(2), … , n(K)のいずれかを受け取る毎に、ターゲットSIR増減値表５４を参照してその時点で最新のフレーム誤り数n(1), n(2), … , n(K)の組合せに対応するSIR増減値を決定し、ターゲットSIR決定機能６に伝える。ターゲットSIR決定機能６から出力されるターゲットSIRの値がやはり送信電力制御系９に与えられ、受信SIRの目標値として用いられる。
【００７２】
本実施形態においても、パラメータN(k)（1≦k≦K）は任意の値を設定することが可能であり、場合によっては動作中に値を変更することも可能である。
【００７３】
フレーム誤り数に対応するSIR増減値については、次のように設定することにより、長期的な平均FERをターゲットFERと等しくすることができる。即ち、フレーム誤り数の組合せ(n(1), n(2), … , n(K))が(i(1), i(2), …, i(K))に等しいときのターゲットSIR増減値を、増加の場合の符号を正、減少の場合の符号を負としてS(i(1), i(2), …, i(K))（0≦i(k)≦N(k), 1≦k≦K）と表し、フレーム誤り率がターゲットFERに等しいときに、N(k)フレーム中のフレーム誤り数の組合せ(n(1), n(2), … , n(K))が(i(1), i(2), …, i(K))に等しくなる確率をP(i(1), i(2), …, i(K))とすると、
【数２６】
0003817955.tif 000017
となるようにターゲットSIR増減値S(i(1), i(2), …, i(K))（0≦i(k)≦N(k), 1≦k≦K）を設定すればよい。
【００７４】
ターゲットSIR増減値表５４は、フレーム誤り数n(1), n(2), … , n(K)のそれぞれに対応するターゲットSIR増減値の表であってもよい。その場合は例えば表３に示すような内容を持つ。
【００７５】
【表３】
0003817955.tif 000018
【００７６】
表３はK=4の場合の一例であり、n(3)=2の時のSIR増減値は+0.7dB、n(1)=1の時のSIR増減値-0.2dBというような対応が示されている。ターゲットSIR増減量決定機能４４は、フレーム誤りカウント機能241, 242, 24Kが出力するフレーム誤り数n(1), n(2), … , n(K)のいずれかを受け取る毎に、ターゲットSIR増減値表５４を参照して受け取ったフレーム誤り数の値に対応するSIR増減値を決定し、ターゲットSIR決定機能６に伝える。この場合はフレーム誤り数に対応するSIR増減値を次のように設定することにより、長期的な平均FERをターゲットFERと等しくすることができる。即ち、フレーム誤り数n(k)がi(k)であるときのターゲットSIR増減値を、増加の場合の符号を正、減少の場合の符号を負としてS(k, i(k)) （0≦i(k)≦N(k), 1≦k≦K）と表し、フレーム誤り率がターゲットFERに等しいときに、ある整数k（1≦k≦K）に対し、N(k)フレーム中のフレーム誤り数n(k)がi(k)（0≦i(k)≦N(k)）に等しくなる確率をP(k, i(k))とすると、
【数２７】
0003817955.tif 000019
となるようにターゲットSIR増減値S(k, i(k)) （0≦i(k)≦N(k), 1≦k≦K）を設定すればよい。
【００７７】
ターゲットSIR増減値S(i(1), i(2), …, i(K))（0≦i(k)≦N(k), 1≦k≦K）は柔軟に設定することができるため、第２の実施形態と同様の効果を得ることができ、やはり前述の第１の課題に対処している。
【００７８】
図６は、本発明による第５の実施形態のブロック図である。該ブロック図は、フレーム誤り検出機能１、フレーム誤りカウント機能２５、しきい値判定機能３５、ターゲットSIR増減量決定機能４５、ターゲットSIR決定機能６、フレームカウント機能７、送信電力制御系９である。これらのうち、フレーム誤り検出機能１、ターゲットSIR決定機能６及び送信電力制御系９は第１の実施形態におけるそれらと同等の動作をする。
【００７９】
フレーム誤りカウント機能２５は、フレーム誤り検出機能２５で検出されたフレーム誤りをカウントし、カウント値が予め設定された値mに達したらそのことをフレームカウント機能７に伝え、フレーム誤りカウント値は０にリセットする。フレームカウント機能７は受信信号のフレーム数をカウントし、フレーム誤り数がmに達したことを知らされたらフレームカウント値をしきい値判定機能３５に伝えてフレームカウント値を０にリセットする。しきい値判定機能３５は、入力されるフレーム数（Cとする）を予め設定されたしきい値t1, t2（t1≧t2）と比較し、比較結果としてC≦t1であるか否か及びC≧t2であるか否かをターゲットSIR増減量決定機能４５に伝える。ターゲットSIR増減量決定機能４５は、C≦t1であることが伝えられた場合はターゲットSIR増減量を+S1と決定する。またC≧t2であることが伝えられた場合はターゲットSIR増減量を-S2と決定する。C≦t1、C≧t2のいずれでもないことが伝えられた場合はターゲットSIR増減量を0と決定する。このようにして決定されたターゲットSIR増減量はターゲットSIR決定機能６に伝えられる。ターゲットSIR決定機能６から出力されるターゲットSIRの値がやはり送信電力制御系９に与えられ、受信SIRの目標値として用いられる。
【００８０】
以上述べた方法の中で、パラメータm, t1, t2は任意の値を設定することが可能であり、場合によっては動作中に値を変更することも可能である。
【００８１】
ターゲットSIR増減量S1及びS2については、適切な値を設定することにより、長期的な平均FERをターゲットFERと等しくすることができる。具体的には、フレーム誤り率がターゲットFERに等しいときにフレーム誤りがm回発生するまでのフレーム数Cがしきい値t1に対しC≦t1となる確率をP1とし、同じ条件下でフレーム誤りがm回発生するまでのフレーム数Cがしきい値t2に対しC≧t2となる確率をP2とすると、
S1×P1 = S2×P2
となるようにターゲットSIR増減値S1及びS2を設定すればよい。
【００８２】
以上に示したSIR増減値S1, S2の設定方法によれば、しきい値t1, t2の値の選択によって確率P1, P2が変わるためにS1とS2の値の比率を調整することができる。即ちS1とS2の値に極端な差がないように設定することができ、それによってターゲットSIRの必要以上に大きな変動を抑えることができる。また、フレーム誤り数mを小さい値に設定すればフレーム数Cの実質的な測定時間を小さくできるので、所要SIRの急激な変化に追従することが可能である。これらによって、やはり本発明は前述の第１の課題に対処している。
【００８３】
図７は、本発明による第６の実施形態のブロック図である。該ブロック図は、フレーム誤り検出機能１、フレーム誤りカウント機能２５、ターゲットSIR増減量決定機能４６、ターゲットSIR増減値表５６、ターゲットSIR決定機能６、フレームカウント機能７及び送信電力制御系９から構成されている。これらのうち、フレーム誤り検出機能１、フレーム誤りカウント機能２５、ターゲットSIR決定機能６、フレームカウント機能７及び送信電力制御系９は、第５の実施形態におけるそれらと同等の動作をする。
【００８４】
第６の実施形態においては、ターゲットSIR増減値表５６として例えば表４に示すような表を予め具備する。
【００８５】
【表４】
0003817955.tif 000020
【００８６】
表４は、フレーム数Cがi（m≦i）であるときのSIR増減値S(i)を示したものであり、表１においては例えばC=50の時のSIR増減値は+0.3dB、C=200の時のSIR増減値は0dBというような対応が示されている。ターゲットSIR増減量決定機能46は、フレームカウント機能7がフレーム数を受け取る毎に、ターゲットSIR増減値表56を参照して当該フレーム数に対応するSIR増減値を決定し、ターゲットSIR決定機能6に伝える。ターゲットSIR決定機能6から出力されるターゲットSIRの値がやはり送信電力制御系9に与えられ、受信SIRの目標値として用いられる。
【００８７】
本実施形態においても、パラメータmは任意の値を設定することが可能であり、場合によっては動作中に値を変更することも可能である。
フレーム数に対応するSIR増減値S(i)（m≦i）については、次のように設定することにより、長期的なFERをターゲットFERと等しくすることができる。即ち、フレーム誤り率がターゲットFERに等しいときにフレーム誤りがm回発生するまでのフレーム数Cがi（m≦i）に等しくなる確率をP(i)とすると、
【数２８】
0003817955.tif 000021
となるようにターゲットSIR増減値S(i) （m≦i）を設定すればよい。
【００８８】
ターゲットSIR増減値S(i)（m≦i）は柔軟に設定することができ、適切に設定することによってターゲットSIRの必要以上に大きな変動を抑えることができる。また第５の実施形態と同様に実質的な測定時間を小さくできるので、所要SIRの急激な変化に追従することが可能である。これらによって、やはり本発明は従来技術の課題１に対処している。
【００８９】
上記の第１〜第６の実施形態において、例えばDTX (Discontinuous Transmission)のように送信側装置でフレーム毎に送信のオン／オフを切り替える制御を行う場合には、フレーム誤りの判定方法によっては、送信オフのフレームを受信側装置でフレーム誤りと判定する場合が考えられる。このようにしてフレーム誤りと判定された送信オフのフレームをアウターループ制御におけるフレーム数又はフレーム誤り数のカウントに含めると、通信品質を一定にするというアウターループの目的を達成できなくなる。そこで、送信オフのフレームをアウターループ制御におけるフレーム数及びフレーム誤り数のカウントの対象から外すことによって、このような場合にも通信品質を一定にすることが可能となり、前述の第２の課題に対処できる。なお、第１〜第４の実施形態にこのような方法を適用する場合、送信オフのフレームを除いたフレーム数N（又はN(1), N(2)又はN(k)）が常に一定になるようにする方法と、送信オフのフレームを除いた一定時間内のフレーム数をフレーム数N（又はN(1), N(2)又はN(k)）として、関連するパラメータ（t1, t2, S1, S2又はターゲットSIR増減値表のターゲットSIR増減値など）をフレーム数N（又はN(1), N(2)又はN(k)）に応じた適切な値に設定して用いる方法が考えられる。
【００９０】
CDMAセルラーシステムにおいてソフトハンドオーバ、又はソフターハンドオーバ状態になった場合は、ハンドオーバ情報に基づき、ハンドオーバ状態の変化に応じてターゲットSIR決定機能6が保持するターゲットSIRを変化させることが考えられる。例えばソフターハンドオーバの状態変化に対しては表５に示す値だけターゲット SIRを変化させる。
【００９１】
【表５】
0003817955.tif 000022
【００９２】
また例えばソフトハンドオーバの状態変化に対しては表６に示す値だけターゲットSIRを変化させる。
【００９３】
【表６】
0003817955.tif 000023
【００９４】
以上のような方法により、ハンドオーバの状態変化による所要SIRの変化に対応することができる。
【００９５】
これまでに示したいずれの実施形態においても、受信側装置で使用するパラメータ（フレーム数N、しきい値t1, t2、ターゲットSIR増減値など）は送信側装置で決定して受信側装置に通知してもよい。このようにすることにより、例えば受信側装置が移動局であるときに移動局の機能を軽減することができる。
【００９６】
尚、以上の説明においては、送受される情報の単位をフレームとし、フレーム誤り率を一定にするようなアウターループ制御の方法を示したが、任意の情報の固まり（部分的なものも可）をフレームと見なすことにより本発明を適用することができる。例えば１ビットを１フレームと見なして本発明を適用すれば、ビット誤り率を一定にするようなアウターループ制御を達成できる。その場合、全てのビットについて誤りの有無を検出できないときは、固定の値を持つビットなど誤りの有無を検出できるビットに限定して当該ビットをフレームと見なせばよい。
【００９７】
また以上の説明においては、送信電力制御系９は、受信SIRがターゲットSIRに等しくなるように制御しているが、受信信号の信号電力（S）が目標とする信号電力値（ターゲットS）に等しくなるように制御する場合にも本発明を適用できる。その場合は、以上の説明において、SIRとしていた箇所をSと置き替えた内容が本発明により達成される。
【００９８】
以上、詳細に説明した実施形態ではCDMAセルラーシステムを例にとり説明したが、CDMA以外の無線方式を用いたセルラーシステムへの適用（部分的適用も含む）において、本発明の技術思想及び見地の範囲内での種々の変更、修正及び省略は、当業者によれば容易に行うことができる。従って、前述した実施形態は、あくまで例であって、何等制約しようとするものではない。本発明は、特許請求の範囲及びその均等物として限定されるものだけに制約される。
【００９９】
【発明の効果】
従って、本発明のセルラーシステム送信電力制御方法によれば、前述の課題を解決することができる。
【０１００】
特に、しきい値t1, t2の値の選択によって確率P1, P2が変わるためにS1とS2の値の比率を調整することができる。即ちS1とS2の値に極端な差がないように設定することができ、それによってターゲットSIRの必要以上に大きな変動を抑えることができる。
【０１０１】
また、ターゲットFER（=p）に対して測定フレーム数Nを1/pフレーム以下としても、S1, S2設定方法を適用することができ、長期的な平均FERをターゲットFERとほぼ等しくすることができる。即ち測定フレーム数Nをある程度小さくすることにより所要SIRの急激な変化に追従することが可能である。
【０１０２】
ターゲットSIR増減値S(i)（0≦i≦N）又はS(i(1), i(2), …, i(K))（0≦i(k)≦N(k), 1≦k≦K）は、柔軟に設定することができ、適切に設定することによってターゲットSIRの必要以上に大きな変動を抑えることができる。また第１の実施形態と同様に、測定フレーム数Nをある程度小さくすることにより所要SIRの急激な変化に追従することが可能である。
【図面の簡単な説明】
【図１】  本発明による第１の実施形態のブロック図である。
【図２】  送信電力制御系９の一実施形態のブロック図である。
【図３】  本発明による第２の実施形態のブロック図である。
【図４】  本発明による第３の実施形態のブロック図である。
【図５】  本発明による第４の実施形態のブロック図である。
【図６】  本発明による第５の実施形態のブロック図である。
【図７】  本発明による第６の実施形態のブロック図である。
【図８】  本発明による第７の実施形態のブロック図である。
【符号の説明】
１  フレーム誤り検出機能
２１、２３１、２３２、２４１〜２４Ｋ  フレーム誤りカウント機能
３１、３３１、３３２  しきい値判定機能
４１、４２、４３、４４  ターゲットＳＩＲ増減量決定機能
５２、５４  ターゲットＳＩＲ増減値表
６  ターゲットＳＩＲ決定機能
９  送信電力制御系機能
９５  送信電力制御機能
９１  検波機能
９２  受信ＳＩＲ測定機能
９３  ＳＩＲ比較機能
９４  送信電力増減量決定機能
９６  送信機能
【図１】
0003817955.tif 000036
【図２】
0003817955.tif 000037
【図３】
0003817955.tif 000038
【図４】
0003817955.tif 000039
【図５】
0003817955.tif 000040
【図６】
0003817955.tif 000041
【図７】
0003817955.tif 000042
【図８】
0003817955.tif 000043